(57)【要約】【課題】本発明は音声報知機能付き加熱装置における音声報知までの待ち時間を可変にすることにより、初心者に分かりやすく、熟練者に煩わしくない音声報知を行うことで操作性の向上を図った加熱装置を供給すること。【解決手段】加熱部２と、制御手段１０と、入力手段８と、表示手段１１と、音声出力手段１４とを備え、音声出力手段１４に音声を出力する際、音声報知するまでの待ち時間を変更する音声出力制御手段１３を有してなる加熱装置。【選択図】図１
2006138619.tif 000002
【特許請求の範囲】
【請求項１】
食品を加熱する加熱部と、前記加熱部を制御する制御手段と、メニューの選択や加熱条件等を入力する入力手段と、加熱条件や制御状態を表示する表示手段と、操作ガイド等を音声で報知する音声出力手段とを備えて、
前記音声出力手段に音声を出力する際、音声報知するまでの待ち時間を変更する音声出力制御手段を有してなる加熱装置。
【請求項２】
使用頻度を記憶する記憶手段を有し、前記記憶手段の使用頻度情報に応じて、音声報知するまでの待ち時間を可変にする機能を有することを特徴とした請求項１記載の加熱装置。
【請求項３】
操作入力を行う際、入力情報間の時間を計測する計時手段を有し、前記計時手段の時間情報に応じて音声報知するまでの待ち時間を可変にする機能を有することを特徴とした請求項１または２記載の加熱装置。
【請求項４】
計時手段で計測された時間を記憶する記憶手段を有し、前記記憶手段の時間情報に応じて音声報知するまでの待ち時間を可変にする機能を有することを特徴とした請求項３記載の加熱装置。
【請求項５】
製品出荷時の待ち時間を３秒に設定し、その後の操作時間に応じて音声発生までの待ち時間を短縮あるいは延長してなる請求項４記載の加熱装置。
【請求項６】
記憶手段として、電源ＯＦＦ時にも消去されない記憶媒体を用いた請求項２または４記載の加熱装置。
【請求項７】
記憶手段として、着脱可能な記憶媒体を用いた請求項６記載の加熱装置。
【請求項８】
着脱可能な記憶媒体として、カード式の記憶媒体を備えた請求項７記載の加熱装置。
【発明の詳細な説明】
【技術分野】
【０００１】
本発明は、音声出力機能を有する加熱装置における音声出力制御方法に関するものである。
【背景技術】
【０００２】
近年、調理機器などの加熱装置にマイクロコンピュータを搭載することが広く行われており、料理に応じた最適な条件で制御できるように、複数の動作制御プログラムが内蔵されている。そのため、工程の多い複雑な調理が初心者でもできるように、音声出力機能を用いて、調理ガイドを行うものがある（例えば、特許文献１参照）。
【０００３】
しかしながら、熟練者になってくると、煩わしくなるため、標準ガイドと簡単ガイドを有して、初心者は標準ガイド、熟練者は簡単ガイドを用いることにより操作性を向上させている（例えば、特許文献２参照）。
【０００４】
また、調理の各工程において細かく指示できるように音声出力で報知しているものもある（例えば、特許文献３参照）。
【０００５】
さらに、煩わしさに応じて、音声出力の音量を可変可能な構成や、不要な人は音声を切る状態に設定できるようにするのは、公知の技術である。
【特許文献１】特公昭６０−５６９７７号公報
【特許文献２】実公平７−１２８０２号公報
【特許文献３】特開２００３−１３０３６０号公報
【発明の開示】
【発明が解決しようとする課題】
【０００６】
しかしながら、前記従来の構成では、利用者の使用頻度や、普段使用しない人が操作する場合など、使用状態に応じて、音声出力を選択することができず、熟練者には煩わしく、初心者には分かりにくいものになってしまうという課題を有していた。
【０００７】
本発明は、前記従来の課題を解決するもので、誰でも使いやすく、使用頻度や操作状況に応じて必要な場合に音声にて操作手順を報知することができる加熱装置を提供することを目的とする。
【課題を解決するための手段】
【０００８】
前記従来の課題を解決するために、本発明の加熱装置は、食品を加熱する加熱部と、前記加熱部を制御する制御手段と、メニューの選択や加熱条件等を入力する入力手段と、加熱条件や制御状態を表示する表示手段と、操作ガイド等を音声で報知する音声出力手段と、音声出力手段に音声を出力する際、音声報知するまでの待ち時間を変更する音声出力制御手段を備えている。
【０００９】
音声出力制御手段は、入力手段から入力された情報毎に音声報知までの待ち時間を制御する構成を有している。
【００１０】
これによって、次に操作する内容に応じて利用者が煩わしくない程度の時間が経過した後に音声報知することが可能になり、誰でも操作しやすい加熱装置を提供することができる。
【００１１】
また、使用頻度を記憶する記憶手段を有しているため、使用頻度が多くなってくると操作は慣れてくるので、音声報知までの待ち時間を使用頻度に応じて長くすることができ、煩わしさのない加熱装置を提供することができる。
【００１２】
また、操作入力を行う際の入力情報間の時間を計測する計時手段を有しており、計時手段の時間情報に応じて音声報知するまでの待ち時間を可変にする機能を有することにより、操作間隔の早い人は熟練者であるため、音声報知は行わないが、操作間隔が長ければ、音声報知により操作を誘導することができるようになり、誰でも操作しやすい加熱装置を提供することができる。
【００１３】
さらに、計時手段で計測された時間を記憶する記憶手段を有し、記憶手段の時間情報に応じて音声報知するまでの待ち時間を可変にする機能を有することにより、操作間隔に応じて計算された時間が経過した時は音声報知する構成にすることにより、利用者が変わっても利用者の使用状況に応じた適正な誘導が可能になるため、更なる操作性を向上することが可能になる。
【発明の効果】
【００１４】
本発明の加熱装置は、複雑な操作であっても、利用者の熟練度に応じて音声報知を行うことが可能なため、誰でも簡単に操作することが可能になると同時に、熟練者にも煩わしさをなくすことができ、操作性の向上を図ることができる。
【発明を実施するための最良の形態】
【００１５】
第１の発明は、食品を加熱する加熱部と、加熱部を制御する制御手段と、メニューの選択や加熱条件等を入力する入力手段と、加熱条件や制御状態を表示する表示手段と、操作ガイド等を音声で報知する音声出力手段とを備えているので音声出力手段に音声を出力する際、音声報知するまでの待ち時間を変更する音声出力制御手段を備えることにより、誰でも使いやすく、操作性の向上を図ることができる。
【００１６】
第２の発明は、特に、第１の発明の加熱装置において、使用頻度を記憶する記憶手段を有し、記憶手段の使用頻度情報に応じて、音声報知するまでの待ち時間を可変にする機能を有しているので、利用者が操作する際、使用頻度に応じて音声報知までの待ち時間を変更することが可能になり、初心者に分かりやすく、熟練者になっても煩わしさのない加熱装置が提供でき、操作性の向上を図ることができる。
【００１７】
第３の発明は、特に、第１または第２の発明の加熱装置において、操作入力を行う際、入力情報間の時間を計測する計時手段を有し、計時手段の時間情報に応じて音声報知するまでの待ち時間を可変にする機能を有することにより、初心者か熟練者かを自動的に判断することが可能になり、操作性の向上を図ることができる。
【００１８】
第４、５の発明は、特に、第３の発明の加熱装置において、計時手段で計測された時間を記憶する記憶手段を有し、記憶手段の時間情報に応じて音声報知するまでの待ち時間を可変にする機能を有することにより、通常利用者とは別の利用者が使用する際、利用者の状況に応じて音声報知するタイミングを変えることができ、操作性の向上を図ることができる。
【００１９】
第６の発明は、特に、第２または第４の発明の加熱装置において、記憶手段として、電源ＯＦＦ時にも消去されない記憶媒体を用いることにより、待機電力ＯＦＦ機能等も搭載した加熱装置においても、記憶内容が消去されないため、音声報知するタイミングを確実に制御できるため、操作性の向上を図ることができる。
【００２０】
第７の発明は、特に、第２または第４の発明の加熱装置において、記憶手段として、着脱可能な記憶媒体を用いることにより、他の同一機能を有した加熱装置にも使用することができ、操作性の向上を図ることができる。
【００２１】
第８の発明は、特に、第６の発明の加熱装置において、着脱可能な記憶媒体として、カード式の記憶媒体を備えることにより、利用者が、他の加熱装置にも使用する際、容易にコピーすることが可能になり、他の加熱装置に設定を容易に移行することができ、さらなる操作性の向上を図ることができる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における加熱装置の詳細ブロック図を示すものである。
【００２４】
図２に、代表的な加熱装置である電子レンジの外観構成図、図３に操作部を示す。
【００２５】
図２において、電子レンジの本体１内には、加熱室（加熱部）２が設けられている。本体１の前面には、メニューの選択等を行う複数のキー３と、調理時間等の設定を行うダイヤル４からなる操作部５と、メニューや調理時間等の表示を行う表示部６を設けている。一般的な電子レンジと同じである。
【００２６】
以上のように構成された加熱装置について、図１、図２および図３を用いて以下にその動作、作用を説明する。
【００２７】
まず、操作部５にあるレンジキー７を押下すると、入力手段８は、マイクロコンピュータ９（以下マイコンと称す）内にある制御手段１０に信号を送り、制御手段１０は、初期出力値を選択し、表示手段１１に信号を送り、表示手段１１は表示部６に出力表示を行うと共に、制御手段１０は計時手段１２に計測開始の指示を出し、音声出力制御手段１３にレンジの出力設定状態であることを送信する。音声出力制御手段１３は、次の操作手順を選択し、一定時間経過後、音声出力手段１４に信号を送信し、音声出力手段１４は、電子レンジ内部に取り付けられたスピーカにより音声を報知する。
【００２８】
ここで、ダイヤル１５が回されると、入力手段８から、制御手段１０に信号が送られ、制御手段１０は、表示手段１１に信号を送り、表示手段１１は表示部６に変更された出力表示を行う。同時に、制御手段１０は、計時手段１２から計測時間を抽出し、記憶手段１６に記憶させ、計測時間をクリアし、再度計測開始の指示を出し、音声出力制御手段１３にレンジの出力設定状態が変化したことを送信する。音声出力制御手段１３は、次の操作手順を選択し、一定時間経過後、音声出力手段１４に信号を送信し、音声出力手段１４は、電子レンジ内部に取り付けられたスピーカにより音声を報知する。
【００２９】
この場合、特に、加熱出力の設定等において、通常は、例えば、５００Ｗであるか７００Ｗであるか等は、簡易に設定操作できるものであるが、当該設定操作を不自由とする使用者に対しては、「レンジ」スイッチを押した後、３秒後程度に、加熱出力が変更できる旨を「左ダイヤルで出力を切り替えられます。」等を報知することで、その操作性を向上させるものである。
【００３０】
続いて、操作部５内のダイヤル１７により、調理時間が設定され、スタートキー１８が押下されると、入力手段８から制御手段１０に信号が送られ、制御手段１０は、高周波発振器１９を制御して、加熱を開始する。加熱が終了すると、レンジが使用されたことを記憶手段１６に送信し、メニュー毎の使用頻度および総使用回数等を記憶する。
【００３１】
以上のように本実施の形態においては、メニュー毎の各操作手順に応じて音声報知するまでの待ち時間を可変にすることにより、利用者の操作手順をタイミングよく音声報知することができる。また、記憶された使用頻度に応じて報知までの時間を長くしていくことにより、慣れてくれば聞かなくなるため煩わしさがなくなり、操作性を向上させることができる。
【００３２】
さらに、記憶されてある通常の操作間隔と比較して、通常より時間がかかっていれば、通常の利用者とは異なる初心者が使用していると判断でき、音声による報知を早くするなどの利用者の使用状況に応じた音声報知タイミングを制御することができ、初心者には分かりやすく熟練者には煩わしくない操作性が大幅に向上した加熱装置を提供することができる。
【００３３】
例えば、上記例の出力設定を操作する際において、当初製品出荷時の待ち時間を３秒に設定した場合、毎回の操作タイミングが、不当に遅いような場合は、この操作ガイドに従い、設定操作しているものと判断し、操作ガイドの音声発生までの待ち時間を２秒、あるいは、１秒等に短縮することにより、その操作性を、より使用者に合わせたものとすることができる。
【００３４】
同様に、製品出荷時の待ち時間を０秒としていた場合は、その使用者の操作熟練度を判断しつつ、待ち時間を2秒、あるいは３秒等に延ばすことが可能である。
【００３５】
なお、本実施の形態ではメニュー毎に各操作手順に応じて音声報知するまでの待ち時間を可変にしているが、操作手順のグループ毎に時間を可変にしても構わないし、報知内容や内容量に応じて、使用頻度の記憶手段や計時手段の記憶手段を設ければよい。
【００３６】
なお、記憶手段１６は、マイコン９内のＲＡＭを使用しても構わないが、電源ＯＦＦ時にも消去されない不揮発性メモリ等を使用することにより、待機電力ＯＦＦ仕様を搭載した電子レンジにおいても、常に記憶している情報を初期値に設定することができるため、操作性を低下させなくて良い。
【００３７】
また、本実施の形態では、記憶手段１６にＩＣカード等の着脱可能な出力記憶手段を使用することにより、他の電子レンジでも、同様の設定を使用することが可能になり、さらに操作性を向上することができる。
【００３８】
（実施の形態２）
図４は、本発明の第２の実施の形態における加熱装置の音声出力制御処理のフローチャートを示すものである。
【００３９】
図４において、入力手段８からキー・ダイヤル・ドアの開閉等の入力信号が入力されるか、調理が終了するなどの状態変化等がある場合、マイコン９は、この音声出力制御処理の中で、音声出力の処理を行う。
【００４０】
ステップＳ１で、キーなどによる状態変化があるか否かの判断がなされ、状態変化があればステップＳ２に移行する。ステップＳ２では、各メニューや状態に応じた状態番号を設定する。続いて、ステップＳ３に以降し、状態番号に応じた音声パターンを取得する。これにより報知する内容が決定する。次にステップＳ４に移行し、状態番号に応じた音声報知するまでの待ち時間がセットされる。なお、ステップＳ３とステップＳ４はどちらが先でも構わない。
【００４１】
次に、ステップＳ５に移行し、待ち時間が経過していなければ、ステップＳ１に戻り、待ち時間中にキー操作等により状態が変化すれば、再度ステップＳ２に移行し、次の音声が設定される。変化がなければ、ステップＳ５に移行し、待ち時間が経過するまで、ループする。ステップＳ５で待ち時間が経過すれば、ステップＳ６に移行し、音声出力手段１４にデータ送信し、音声報知を行う。
【００４２】
また、ステップＳ４の待ち時間セットは、ステップＳ７〜Ｓ１２の方式にしてもよい。この場合、まず、ステップＳ７で状態番号に応じた待ち時間をセットする。
【００４３】
次に、ステップＳ８に移行し、記憶手段１６から使用頻度の記憶情報を取得して、ステップＳ９に移行し、使用頻度に応じて、使用頻度が多ければ、待ち時間を追加する。
【００４４】
なお、使用頻度に応じた待ち時間追加方法として、使用頻度回数毎にある一定時間を追加する方法や、使用頻度回数に応じて、ある係数をかけて計算する方法などがある。また、使用頻度はメニュー毎に設定しても、トータル使用回数で設定しても構わない。音声の報知内容により、決めたらよい。使用しない場合は、ステップＳ８〜Ｓ９を削除すれば問題ない。
【００４５】
次に、ステップＳ１０〜Ｓ１２で、操作間隔に応じた待ち時間セットする方式を説明する。
【００４６】
まず、ステップＳ１０で、計時手段１２のデータから操作間隔の時間を取得する。次に、ステップＳ１１に移行し、記憶手段１６にある操作間隔データを取得する。次にステップＳ１２に移行し操作間隔に応じた待ち時間を設定する。
【００４７】
この時にステップＳ１０で取得したデータに応じて、操作間隔がある一定時間よりも長ければ、操作に戸惑っていると判断し、待ち時間を短くして、音声報知を早くする方法がある。また、別の方法として、ある一定時間でなく、ステップＳ１１で取得した記憶されているデータと比較することにより判断する方法でもよい。
【００４８】
なお、操作間隔を記憶する際は、そのままデータを記憶してもよいが、過去のデータとの平均値を記憶させるほうが、望ましい。
【００４９】
これらの構成により、利用者の使用状況に応じて音声報知するタイミングを可変にすることが可能になる。
【産業上の利用可能性】
【００５０】
以上のように、本発明にかかる加熱装置は、利用者の使用状況に応じて音声報知するタイミングを可変にすることにより、初心者に分かりやすく、熟練者に煩わしくない、音声報知をすることが可能になり、操作性の大幅な向上を図ることができる。
【図面の簡単な説明】
【００５１】
【図１】本発明の実施の形態１における加熱装置の詳細ブロック図
【図２】本発明の実施の形態１における加熱装置の外観構成図
【図３】本発明の実施の形態１における加熱装置の操作部を示す図
【図４】本発明の実施の形態２における加熱装置のフローチャート
【符号の説明】
【００５２】
２  加熱部
８  入力手段
１０  制御手段
１１  表示手段
１２  計時手段
１３  音声出力制御手段
１４  音声出力手段
１６  記憶手段
【図１】
2006138619.tif 000003
【図２】
2006138619.tif 000004
【図３】
2006138619.tif 000005
【図４】
2006138619.tif 000006